(57)【要約】      （修正有）【課題】建設現場の状況やその日の作業内容に応じて、作業員に見て欲しい、注目させたい災害事例掲示物の注目度を向上させる、災害注意掲示板用注目喚起マークを提供する。【解決手段】建設作業所における災害注意掲示板において、災害注意掲示板用注目喚起マークは、指差しマークであることを特徴とする。更には、前記指差しマークが、少なくとも人差し指が伸張している手指の形であり、ヘルメットが被覆されており、重要度にしたがって掲示物の１／８〜１／６４の大きさであることを特徴とする。【選択図】図１
2019191475.tif 000002
【特許請求の範囲】
【請求項１】
建設事業所における災害注意掲示板において、掲示物に対する注目喚起マークが指差しマークであることを特徴とする建設作業所における災害注意掲示板用注目喚起マーク。
【請求項２】
指差しマークが、少なくとも人差し指が伸張している手指の形であり、ヘルメットが被覆されており、重要度にしたがって掲示物の１／８〜１／６４の大きさであることを特徴とする請求項１記載の建設作業所における災害注意掲示板用注目喚起マーク。
【請求項３】
背景色が黄色であって、文字「注目！」が表示されていることを特徴とする請求項１又は２記載の建設作業所における災害注意掲示板用注目喚起マーク。
【請求項４】
貼り替え可能であることを特徴とする請求項１〜３のいずれかに記載の災害注意掲示板用注目喚起マーク。
【請求項５】
災害注意掲示板が電子掲示板であることを特徴とする請求項１〜４のいずれかに記載の災害注意掲示板用注目喚起マーク。
【発明の詳細な説明】
【技術分野】
【０００１】
本発明は、建設作業所における安全技術に関する。
【背景技術】
【０００２】
建設作業は、作業工程によって日々作業内容が変化し、また、現場も設計や環境によって変化する。建設作業は災害防止のために各種の作業上の注意説明や掲示を作業所において行っている。特に、災害事例などを掲示して、作業員に対して注意を促している。建設作業は、作業内容によって、その作業に応じた専門作業員が離散集合する。このような状況で、建設作業現場の安全管理を日々行うためには、その日の作業に応じた注意を行う必要がある。
掲示板に災害事例、災害速報などの沢山の災害注意事項が掲載されている。掲示するものを厳選して掲示しているが、数が多くなると注目事項が分かりにくくなる。
沢山の掲示があると、作業員が軽重を付けることが難しく、結局漫然として見過ごすようなことが発生する。その結果、災害事例の掲示が形骸化してしまい本来の災害防止への効果や作業員が危険に気付く力の向上が望めない状況である。
【０００３】
特許文献１（実開平５−２１８０号公報）には、表示メモ欄と指差し図柄が表示され、ミシン目を入れた、色付粘着性合成樹脂テープが注意換起テープとして開示されている。特許文献１は、電話ラインの敷設切り替え作業用に提案されたもので、作業現場に作業手順に従ってライン番号や指示番号を付すなどの用途に用いられる。
【先行技術文献】
【特許文献】
【０００４】
【特許文献１】実開平５−２１８０号公報
【発明の概要】
【発明が解決しようとする課題】
【０００５】
建設作業所内に掲示する災害事例集の見える化に関する提案である。現場の状況やその日の作業内容に応じて、作業員に見て欲しい、注目させたい災害事例の注目度を向上させる手段を開発することを目的とする。
【課題を解決するための手段】
【０００６】
１．建設作業所における災害注意掲示板において、掲示物に対する注目喚起マークが指差しマークであることを特徴とする建設作業所における災害注意掲示板用注目喚起マーク。
２．指差しマークが、少なくとも人差し指が伸張している手指の形であり、ヘルメットが被覆されており、重要度にしたがって掲示物の１／８〜１／６４の大きさであることを特徴とする１．記載の建設作業所における災害注意掲示板用注目喚起マーク。
３．背景色が黄色であって、文字「注目！」が表示されていることを特徴とする１．又は２．記載の建設作業所における災害注意掲示板用注目喚起マーク。
４．貼り替え可能であることを特徴とする１．〜３．のいずれかに記載の災害注意掲示板用注目喚起マーク。
５．災害注意掲示板が電子掲示板であることを特徴とする１．〜４．のいずれかに記載の災害注意掲示板用注目喚起マーク。
【発明の効果】
【０００７】
１．本発明は、指差し確認を掲示板に活用したので、作業工程に応じて作業員の注目喚起を促すことができる。特に、作業現場では、日常点検行為として指差し確認が行われており、作業員は、習慣として指差しには注意を喚起されることとなる。例えば、建設作業では、危険予知活動として、作業対象、標識、信号、計器類に指差しを行い、その名称と状態を声に出して確認している。作業員はこのような慣習に従って、「指差し」には、自然と緊張感や集中力が高まることとなる。
ヘルメットは建設現場の必須アイテムであり、作業員のルーティーンとして、朝出勤してヘルメットを装着すると仕事モードになるので、ヘルメットマークと指差しマークを併用することによって、建設現場の作業としての注意意識が刷り込まれる。
２．建設作業所において、電子掲示板を利用する場合は、この指差し注目マークを電子掲示板にも表示して、注意喚起することができる。電子掲示板に利用することにより、災害をデータ化して、併せて指差し注目マークをパソコン画面上で操作して、各会議場、朝礼会場、詰め所に設置してあるディスプレイ画面に画像を配信して、各所の作業員や所員に認識させることができる。
３．注目すべき事例に注意が注がれ、見える化されるので、災害注意掲示板が作業員にとって見やすくなり、災害事例を意識する機会が増える。その日の作業に対応した過去の災害事例を意識することにより危険行動を防ぎ災害防止効果が向上する。
【図面の簡単な説明】
【０００８】
【図１】指差しマークの例
【図２】掲示板の掲示事例
【発明を実施するための形態】
【０００９】
本発明は、工事現場の建設作業所において、災害事例などの掲示物の中から本日の作業において特に注意を喚起したいものに付ける注意マークである。
注目マークは「指差しマーク」であって、「指差し」している図形と「注目！」の文字や色などと組み合わされて構成される。
また、注目掲示物は作業内容によって毎日のように変更されるので、注目喚起マークは貼り替え可能な構造にすることが適している。低粘着力、磁気シート、電子掲示板用表示等の手段を採用して、貼り替えを可能にする。
大型の電子ディスプレイ等や複数の箇所へデータを送って各所でディスプレイに表示する方法もとられているので、注目喚起マークを電子化して、これらのディスプレイに表示する。
【００１０】
本発明の概略を図１に示す。
人間の手指の形であって、人差し指と拇などの指によって、指し示す方向を表している。
指差しマークは、少なくとも人差し指が伸張している手指の形であり、ヘルメットが被覆されており、重要度にしたがって掲示物の１／８〜１／６４の大きさとする。指差しマークは、人差し指で注目方向を指し示す。
このマークによって、指差し確認を掲示板に活用して作業工程に応じた作業員の注目喚起を促す。特に、作業現場では、日常点検行為として指差し確認が行われており、作業員は、習慣として指差しには注意を喚起されることとなる。例えば、建設作業では、危険予知活動として、作業対象、標識、信号、計器類に指差しを行い、その名称と状態を声に出して確認している。作業員はこのような慣習に従って、「指差し」に接すると、自然と緊張感や集中力が高まることとなる。
さらに、ヘルメットは建設現場の必須アイテムであり、作業員のルーティーンとして、朝出勤してヘルメットを装着すると仕事モードになるので、ヘルメットマークと指差しマークを併用することによって、建設現場の作業としての注意意識が刷り込まれる。
図１に示すマークは、紙や樹脂シートに印刷されたものである。注意喚起すべき対象掲示物は、作業内容に応じて臨機応変であるので、指差しマークは剥離可能とすることが適している。剥離可能な手段としては、再剥離型粘着剤、磁性体がある。磁性体の場合は、磁性を有するシート体等があり、磁性シートにはさらに再剥離型粘着剤を併用することができる。
【００１１】
注目マークは、目立つ配色とする。例えば、地色を「黄色」とし、「注目！」の文字表示は「赤色」、「マーク」は「黒線」とする。
注目マークは、掲示物の大きさに対して、１／８〜１／６４程度とする。注目マークの大きさを数種類設けて、注目度に応じて大きさを変えることができる。
【００１２】
掲示板の種類により、再剥離型粘着剤あるいは磁性体を用い、再剥離型粘着剤付き磁性シートを併用することができる。
再剥離型粘着剤は、例えば、微粘着タイプのアクリル系粘着剤、再剥離性を持ったアクリル系粘着剤、ポリウレタンからなる粘着剤、シリコーン系粘着剤がある。
樹脂シートは、各種あって、ポリエステルフィルム、ポリイミドフィルム、ビニルフィルム、ポリエチレンフィルムなどである。
紙は、上質紙、アート紙、合成紙など一般印字用紙素材である。
【００１３】
図２は、建設作業所の掲示板の様子を示している。２枚の掲示板に３２枚の掲示物があって、全作業員が、それをすべて読んで良く理解することは、時間的、人数的に現実的には難しいところがある。この多くの掲示物に対して、本日の重要性に応じて、注目マークを附することによって、重要メッセージを送ることができる。
【００１４】
人間の指差しは、他人の注意を惹く形であり、本能的に目を引くので、危険作業を伴う作業に対する掲示に関心を向けることができ、本発明の簡単な表示手段で、危険回避を促し、工事現場の事故予防を図ることができる。
建設作業所において、電子掲示板を利用する場合は、この指差し注目マークを電子掲示板にも表示して、注意喚起する。電子掲示板に利用することにより、災害をデータ化して、併せて指差し注目マークをパソコン画面上で操作して、データ化して、各会議場、朝礼会場、詰め所に設置してあるディスプレイ画面に画像を配信して、各所の作業員や所員に認識させる。
本注目マークによって、注目すべき事例に注意が注がれ、見える化されるので、災害注意掲示板が作業員にとって見やすくなり、災害事例を意識する機会を増やす効果がある。その日の作業に対応した過去の災害事例を意識することにより危険行動を防ぎ災害防止効果が向上する。
【図１】
2019191475.tif 000003
【図２】
2019191475.tif 000004